(57)【特許請求の範囲】
【請求項１】
アンテナを介して受信された放送波を中間周波数信号に変換するチューナと、前記中間周波数信号をデジタルデータに変換するチャンネルデコーダとからなる放送受信系統を備え、管理ユニットによりスロット数の割当が管理されるリングネットワークに接続されたデジタル放送受信機において、
前記チャンネルデコーダにより前記中間周波数信号から変換されたデジタルデータストリームのパケットを記憶するバッファと、
前記リングネットワークの最大伝送レート、前記デジタルデータストリームに割り当てられている最大伝送レートを示す情報および前記リングネットワークのスロット割当状況を検知する検知回路と、
前記パケットのＰＣＲ値からシステムクロックを再生するＰＬＬ回路と、
前記検知回路により検知された前記リングネットワークのスロット割当状況に基づいて、当該リングネットワークのスロットに前記デジタルデータストリームに割り当てられている最大伝送レート以上のスロット割当があると判定された場合に、前記リングネットワークの最大伝送レートおよび前記デジタルデータストリームに割り当てられている最大伝送レートを示す情報に基づいて、前記デジタルデータストリームの出力伝送レートとなるように前記バッファからパケットを読み出すとともに、前記デジタルデータストリームの出力伝送レートに対して前記リングネットワークの伝送レートが小さい場合には、割当スロット数を拡張する要求を前記管理ユニットに行い、割当スロット数が拡張された後に、前記バッファからパケットを読み出す読み出し制御回路と、
前記バッファから読み出されたパケットがＰＣＲを含む場合に、当該ＰＣＲを前記ＰＬＬ回路から入力した前記システムクロックに応じたＰＣＲ値に付け替えるＰＣＲ付け替え回路と、
前記ＰＣＲ付け替え回路から出力されたパケットを入力して、前記リングネットワークのプロトコルに変換したデジタルデータストリームとして当該リングネットワークへ出力するプロトコル変換回路とを備えることを特徴とするデジタル放送受信機。
【請求項２】
前記チャンネルデコーダにより前記中間周波数信号から変換されたデジタルデータストリームから、映像および音声データに関するパケットと、その他のデータのパケットとを分離する分離処理回路と、
前記分離処理回路に分離された前記その他のデータの中から、カルーセル伝送されているデータを判定する判定回路と、
前記判定回路によりカルーセル伝送されていると判定されたデータのパケットをそのデータ種別に対応付けて記憶するデータ信号バッファと、
前記リングネットワークを介して受信したコマンドの内容を解析し、コマンドの内容が前記リングネットワークに接続された機器からのデータ種別を指定したデータ送信要求である場合、当該データ送信要求に応じたデータのパケットを前記データ信号バッファから読み出して前記プロトコル変換回路へ出力させるコマンド解析回路とを備え、
前記プロトコル変換回路は、前記コマンド解析回路により前記データ信号バッファから読み出されたパケットを入力し、前記リングネットワークのプロトコルに変換したデジタルデータストリームとして当該リングネットワークへ出力することを特徴とする請求項１記載のデジタル放送受信機。
【請求項３】
前記放送受信系統を複数備え、
前記複数の放送受信系統からそれぞれ入力したデジタルデータストリームのうち、共通の情報を有するデジタルデータストリームについて、当該共通の情報を１つに一元化して前記共通の情報を有するデジタルデータストリームを１つのストリームに再編成するストリーム再編成処理部を備えることを特徴とする請求項１または請求項２記載のデジタル放送受信機。
【発明の詳細な説明】
【技術分野】
【０００１】
この発明は、ＭＯＳＴ（Media Oriented Systems Transport）に代表されるリングネットワークに接続するデジタル放送受信機に関する。
【背景技術】
【０００２】
特許文献１には、任意の伝送レートで入力されるＭＰＥＧ２−ＴＳをその内容を損なうことなく、別の任意の伝送レートに変換する装置が開示されている。この装置は、パケットからＰＣＲ（Program Clock Reference）を抽出する回路、ＰＣＲの値から２７ＭＨｚのシステムクロックを再生するＰＬＬ回路、パケットを出力伝送レートで読み出すパケット読み出し回路およびパケットがＰＣＲパケットである場合にＰＬＬ回路からのＰＣＲ値に書き換えるＰＣＲ値付替回路を備える。また、特許文献２には、日本のデジタル放送方式であるＩＳＤＢＴ（Integrated Services Digital Broadcasting-Terrestrial）に使用される多重フレームＴＳの伝送方法において、無効階層ＴＳＰ（Transport Stream Packet）を削除した信号を出力することで出力伝送レートを抑制する回路が開示されている。
【先行技術文献】
【特許文献】
【０００３】
【特許文献１】特開平１１−２０５７８９号公報
【特許文献２】特開２００３−１１５８０７号公報
【発明の概要】
【発明が解決しようとする課題】
【０００４】
近年、車内ネットワークであるＭＯＳＴには、映像・音声のデコーダを内蔵する複数の機器が接続される場合があり、この機器の一つにデジタル放送受信機がある。この場合、ＭＯＳＴネットワークで映像・音声デコーダを集約すると、ネットワークシステムのコストダウンに繋がることは想像に難くない。
しかしながら、映像・音声データをデジタルデータのままＭＯＳＴネットワークへ伝送する必要が発生し、ＭＯＳＴネットワークの伝送帯域が圧迫されるという課題があった。例えば、映像・音声のデータが伝送帯域を占有することで、ネットワーク全体を制御するためのデータ転送が行えない場合があり、また連続性のあるデータであってもバースト的な伝送になる可能性がある。
特に、映像・音声データは連続性のある信号でバースト転送に不向きなため、そのままＭＯＳＴネットワークへ伝送した場合、ＭＯＳＴネットワークに接続する他の機器の通信タイミングに悪影響を及ぼす可能性があり、逆に他の機器の影響を受けて連続性が損なわれる場合もあり得る。【０００５】
なお、特許文献１は、ＭＰＥＧ２−ＴＳの入力レートと出力レートを変換する一般的な装置であるが、Ｐ２Ｐ（Peer to Peer）転送に関するものであり、リングネットワークのように複数の機器が接続され、これらの機器によって伝送帯域が占有されるネットワークを想定していない。このため、特許文献１の発明をＭＯＳＴのようなリングネットワークに適用しても、ＴＳ（Transport Stream）信号の出力線（ネットワーク側）が割当して、その分だけデータを伝送できないことから、ＴＳ出力を一時的に保留したとしてもデータの欠落が生じるという課題がある。
また、特許文献２の技術は、ＤＶＢＴ（Digital Video Broadcasting-Terrestrial）のように無効階層ＴＳＰを挿入しない放送方式には適用できない。このため、各種のデジタル放送方式に対応し、かつ連続性のないデータの伝送レートを抑制することができないという課題があった。【０００６】
この発明は、上記のような課題を解決するためになされたもので、リングネットワークに接続する再生機器で適切に映像・音声データを再生できるように、受信した放送信号の映像・音声データをデジタルデータでネットワークに出力することができるデジタル放送受信機を得ることを目的とする。
【課題を解決するための手段】
【０００７】
この発明に係るデジタル放送受信機は、アンテナを介して受信された放送波を中間周波数信号に変換するチューナと、中間周波数信号をデジタルデータに変換するチャンネルデコーダとからなる放送受信系統を備え、管理ユニットによりスロット数の割当が管理されるリングネットワークに接続されたデジタル放送受信機において、チャンネルデコーダにより中間周波数信号から変換されたデジタルデータストリームのパケットを記憶するバッファと、リングネットワークの最大伝送レート、デジタルデータストリームに割り当てられている最大伝送レートを示す情報およびリングネットワークのスロット割当状況を検知する検知回路と、パケットのＰＣＲ値からシステムクロックを再生するＰＬＬ回路と、検知回路により検知されたリングネットワークのスロット割当状況に基づいて、当該リングネットワークのスロットにデジタルデータストリームに割り当てられている最大伝送レート以上のスロット割当があると判定された場合に、リングネットワークの最大伝送レートおよびデジタルデータストリームに割り当てられている最大伝送レートを示す情報に基づいて、デジタルデータストリームの出力伝送レートとなるようにバッファからパケットを読み出すとともに、デジタルデータストリームの出力伝送レートに対してリングネットワークの伝送レートが小さい場合には、割当スロット数を拡張する要求を管理ユニットに行い、割当スロット数が拡張された後に、バッファからパケットを読み出す読み出し制御回路と、バッファから読み出されたパケットがＰＣＲを含む場合に、当該ＰＣＲをＰＬＬ回路から入力したシステムクロックに応じたＰＣＲ値に付け替えるＰＣＲ付け替え回路と、ＰＣＲ付け替え回路から出力されたパケットを入力して、リングネットワークのプロトコルに変換したデジタルデータストリームとして当該リングネットワークへ出力するプロトコル変換回路とを備える。
【発明の効果】
【０００８】
この発明によれば、リングネットワークに接続する再生機器で適切に映像・音声データを再生できるように、受信した放送信号の映像・音声データをデジタルデータでネットワークに出力することができるという効果がある。
【図面の簡単な説明】
【０００９】
【図１】この発明に係るデジタル放送受信機が接続されるリングネットワークの構成を示す図である。
【図２】実施の形態１に係るデジタル放送受信機の構成を示すブロック図である。
【図３】実施の形態１に係るデジタル放送受信機の動作を示すフローチャートである。
【図４】この発明の実施の形態２に係るデジタル放送受信機の構成を示すブロック図である。
【図５】実施の形態２に係るデジタル放送受信機の動作を示すフローチャートである。
【図６】この発明の実施の形態３に係るデジタル放送受信機の構成を示すブロック図である。
【図７】実施の形態３に係るデジタル放送受信機の動作を示すフローチャートである。
【発明を実施するための形態】
【００１０】
以下、この発明をより詳細に説明するため、この発明を実施するための形態について、添付の図面に従って説明する。
実施の形態１．
図１は、この発明に係るデジタル放送受信機が接続されるリングネットワークの構成を示す図である。図１において、この発明に係るデジタル放送受信機２は、リングネットワーク１上に配置される。リングネットワーク１には、デジタル放送受信機２と管理ユニット３の他に、複数の電子機器が接続されており、これらの電子機器を総じて他の機器４と呼ぶ。また、ここでは、リングネットワーク１がＭＯＳＴネットワークであるものとし、ＭＯＳＴネットワーク１と適宜記載する。
【００１１】
管理ユニット３は、ネットワーク上の管理者として存在する装置であり、例えばキー、リモコンなどの各種の入力機器を介したユーザインタフェースを有し、当該ユーザインタフェースを介してユーザから入力された指示をＭＯＳＴネットワーク１上に配信する役割を持つ。また、管理ユニット３は、ＭＯＳＴネットワーク１に接続された電子機器、例えばデジタル放送受信機２から出力されたＭＰＥＧ−ＴＳ信号を映像信号に変換する機能（映像・音声デコーダ）および映像信号をユーザに提示するためのディスプレイを有する。このように、管理ユニット３は、ユーザからの指示を受けて、ＭＯＳＴネットワーク１上の機器へのスロットの割り当て（割当スロット数の管理）などを行い、システム全体を制御する。
【００１２】
図２は、実施の形態１に係るデジタル放送受信機の構成を示すブロック図である。図２において、デジタル放送受信機２は、チューナ５、チャンネルデコーダ６、ＴＳ加工部７およびネットワークＩ／Ｆ部８を備える。チューナ５は、アンテナを介して受信された補放送波信号（ＲＦ信号）を中間周波数信号（ＩＦ信号）に変換する。チャンネルデコーダ６は、チューナ５が変換したＩＦ信号を復調してＭＰＥＧ−ＴＳ信号へ変換する。なお、チューナ５およびチャンネルデコーダ６は、複数系統搭載することもできる。
【００１３】
ＴＳ加工部７は、ＭＰＥＧ−ＴＳ信号のＴＳ伝送レートを、ＭＯＳＴネットワーク１の最大伝送レートに応じた値に変換し、ＰＣＲ値の付け替えを行った、いわゆる“加工済みＴＳ信号”を生成して出力する。なお、ＴＳ加工部７は、その構成としてＤｅＭｕｘ・分離処理回路７１、バッファ７２、ＰＣＲ付け替え回路７３、ＰＬＬ回路７４および読み出し制御回路７５を備える。ＤｅＭｕｘ・分離処理回路７１は、チャンネルデコーダ６から入力したＭＰＥＧ−ＴＳ信号を分離（ＤｅＭｕｘ）して、ＭＰＥＧ−ＴＳ信号のＴＳパケットがＰＣＲパケットか否かを検出する回路である。バッファ７２は、ＭＰＥＧ−ＴＳ信号のＴＳパケットを蓄積するバッファである。
【００１４】
ＰＣＲ付け替え回路７３は、バッファ７２から読み出されたＴＳパケットがＰＣＲパケットの場合、ＰＬＬ回路７４から読み出したクロックの値でＰＣＲを生成して当該ＰＣＲパケットに上書き（ＰＣＲ値の付け替え）してネットワークＩ／Ｆ部８へ出力し、ＰＣＲパケット以外である場合はそのままネットワークＩ／Ｆ部８へ出力する。
ＰＬＬ回路７４は、ＤｅＭｕｘ・分離処理回路７１によりＭＰＥＧ−ＴＳ信号から分離されたＰＣＲ値を使用してＰＬＬを行い、２７ＭＨｚのシステムクロックを再生する回路である。
【００１５】
読み出し制御回路７５は、検知回路８２から入力したスロット割当状況信号からＭＯＳＴネットワーク１のスロット割当状況を特定し、このスロット割当状況に応じてバッファ７２からのＭＰＥＧ−ＴＳ信号の読み出しを制御する回路である。
なお、ＭＯＳＴネットワーク１へのスロット割当は、当該ＭＯＳＴネットワーク１の取決めに応じて、管理ユニット３がデジタル放送受信機２に対し、スロットの使用権限を付与することで行われる。検知回路８２は、ＭＯＳＴスロットが“スロット割当済み”であるか否かを示すスロット割当状況信号を、読み出し制御回路７５に出力する。
【００１６】
ネットワークＩ／Ｆ部８は、ＭＯＳＴプロトコル変換回路８１および検知回路８２を備える。ＭＯＳＴプロトコル変換回路８１は、ＴＳ加工部７によって生成された“加工済みＴＳ信号”をＭＯＳＴプロトコルへ変換してＭＯＳＴネットワーク１へ出力する。また、検知回路８２は、ＭＯＳＴネットワーク１の最大割当伝送レート、ＭＰＥＧ−ＴＳ信号に割り当てられる最大伝送レートの情報および現在のＭＯＳＴネットワーク１のスロット割当状況を検知してＴＳ加工部３へ出力する。
【００１７】
次に動作について説明する。
図３は、実施の形態１に係るデジタル放送受信機の動作を示すフローチャートであり、この図に沿ってＴＳ加工部７がＭＰＥＧ−ＴＳ信号を入力してからネットワークＩ／Ｆ部８へ出力するまでの処理の詳細について述べる。
まず、ＤｅＭｕｘ・分離処理回路７１は、チャンネルデコーダ６から入力したＭＰＥＧ−ＴＳ信号を分離する（ステップＳＴ１）。次いで、ＤｅＭｕｘ・分離処理回路７１は、入力したＭＰＥＧ−ＴＳ信号を構成するＴＳパケットがＰＣＲパケットか否かを判定する（ステップＳＴ２）。
【００１８】
ＴＳパケットがＰＣＲパケットである場合（ステップＳＴ２；ＹＥＳ）、ＤｅＭｕｘ・分離処理回路７１は、ＰＣＲパケットのＰＣＲ値をＰＬＬ回路７４へ出力する。ＰＬＬ回路７４は、ＤｅＭｕｘ・分離処理回路７１から入力したＰＣＲ値を使用してＰＬＬを行い、２７ＭＨｚのシステムクロック（ＭＰＥＧ−ＴＳ信号の再生に必要な基準クロック）を再生する（ステップＳＴ３）。
【００１９】
ＴＳパケットがＰＣＲパケットでない場合（ステップＳＴ２；ＮＯ）、ＤｅＭｕｘ・分離処理回路７１は、ＭＰＥＧ−ＴＳ信号からそのＴＳ伝送レートを検出し、当該ＭＰＥＧ−ＴＳ信号をバッファ７２に一時記憶する。ＤｅＭｕｘ・分離処理回路７１によって検出されたＴＳ伝送レートは、読み出し制御回路７５へ出力される。
【００２０】
また、ネットワークＩ／Ｆ部８の検知回路８２は、ＭＯＳＴプロトコル変換回路８１を介してどのタイムスロット（時刻）が割り当てられているかを把握してＭＯＳＴネットワーク１のスロット割当状況を特定して読み出し制御回路７５へ出力する。
なお、検知回路８２は、例えば、ＭＯＳＴネットワーク１のスロット割当状況から、どれだけのデータを伝送することが可能であるかを判別し、平均伝送レート（平均“空き”レート）を算出する。
【００２１】
次に、読み出し制御回路７５は、ＭＰＥＧ−ＴＳ信号が入力済みであるか否かを確認する（ステップＳＴ４）。ＭＰＥＧ−ＴＳ信号が入力されていない場合は（ステップＳＴ４；ＮＯ）出力処理をスキップする。
【００２２】
続いて、読み出し制御回路７５は検知回路８２から入力したスロット割当状況信号に基づいて、ＭＯＳＴネットワーク１のスロット割当状況を確認する（ステップＳＴ５）。
ここで、当該デジタル放送受信機が十分なＭＯＳＴスロットを確保していないと判別した場合、読み出し制御回路７５は、ＭＯＳＴスロット割当不足であって、ＴＳパケットの出力待機状態であると判定し（ステップＳＴ５；ＮＯ）、ＭＯＳＴプロトコル変換回路８１から割当スロットを拡張する要求を管理ユニット３に出力し（ステップＳＴ９）、拡張されるまでの間、ＴＳパケットをバッファ７２に一時退避して（ステップＳＴ１０）、処理を終了する（伝送帯域が確保された後にＴＳパケットをバッファ７２から読み出し出力させる）。
【００２３】
一方、ＭＯＳＴネットワーク１で十分なＭＯＳＴスロットを確保していると判別した場合、読み出し制御回路７５は、ＴＳパケットの出力待機状態でないと判定し（ステップＳＴ５；ＹＥＳ）、ＴＳパケットを読み出させてＰＣＲ付け替え回路７３へ出力させる。
【００２４】
ＰＣＲ付け替え回路７３は、上述のようにしてバッファ７２から読み出されたＴＳパケットがＰＣＲパケットであるか否かを判定する（ステップＳＴ６）。
出力するＭＰＥＧ−ＴＳ信号（ＴＳパケット）がＰＣＲパケットでない場合（ステップＳＴ５；ＮＯ）、ＰＣＲ付け替え回路７３は、ＭＰＥＧ−ＴＳ信号をそのままネットワークＩ／Ｆ部８へ出力する（ステップＳＴ７）。
一方、出力するＭＰＥＧ−ＴＳ信号（ＴＳパケット）がＰＣＲパケットの場合（ステップＳＴ５；ＹＥＳ）、ＰＣＲ付け替え回路７３は、ＰＬＬ回路７４からシステムクロックの再生で使用されたＰＣＲ値を当該ＰＣＲパケットに上書き（ＰＣＲ値の付け替え）してネットワークＩ／Ｆ部８へ出力する（ステップＳＴ８）。
【００２５】
次に、ＭＯＳＴプロトコル変換回路８１は、ＰＣＲ付け替え回路７３から入力した“加工済みＴＳ信号”をＭＯＳＴプロトコルに変換し、ＭＯＳＴネットワーク１へ出力する。なお、“加工済みＴＳ信号”は、上述のようにＰＣＲ値が付け替えられてバッファ７２に一時記憶されて遅延した分の時間が時間合わせされているため、遅延時間分の非同期伝送が可能である。
【００２６】
ＭＯＳＴネットワーク１の伝送帯域が不足している場合、割当スロット数を拡張する要求を管理ユニット３に出力し、拡張されるまでの間、ＴＳ信号を一時記憶させ、伝送帯域が確保された後にＴＳ信号を出力させる。この場合、ＰＣＲ値の付け替えにより、時間情報が整合されているので、管理ユニット３側で特別な処理を施すことなく、再生することができる。
【００２７】
以上のように、この実施の形態１によれば、チャンネルデコーダ６によりＩＦ信号から変換されたＭＰＥＧ−ＴＳ信号のパケットを記憶するバッファ７２と、ＭＯＳＴネットワーク１の最大伝送レート、ＭＰＥＧ−ＴＳ信号に割り当てられている最大伝送レートを示す情報およびＭＯＳＴネットワーク１のスロット割当状況を検知する検知回路８２と、パケットのＰＣＲ値からシステムクロックを再生するＰＬＬ回路７４と、検知回路８２により検知されたＭＯＳＴネットワーク１のスロット割当状況に基づいて、当該ＭＯＳＴネットワーク１のスロットにＭＰＥＧ−ＴＳ信号に割り当てられている最大伝送レート以上のスロット割当があると判定された場合に、ＭＯＳＴネットワーク１の最大伝送レートおよびＭＰＥＧ−ＴＳ信号に割り当てられている最大伝送レートを示す情報に基づいて、ＭＰＥＧ−ＴＳ信号の出力伝送レートとなるようにバッファ７２からパケットを読み出すとともに、ＭＰＥＧ−ＴＳ信号の出力伝送レートに対してＭＯＳＴネットワーク１の伝送レートが小さい場合には割当スロット数を拡張する要求を管理ユニットに行い、割当スロット数が拡張された後に、前記バッファからパケットを読み出す読み出し制御回路７５と、バッファ７２から読み出されたパケットがＰＣＲを含む場合に、当該ＰＣＲをＰＬＬ回路７４から入力したシステムクロックに応じたＰＣＲ値に付け替えるＰＣＲ付け替え回路７３と、ＰＣＲ付け替え回路７３から出力されたパケットを入力して、ＭＯＳＴネットワーク１のプロトコルに変換したＭＰＥＧ−ＴＳ信号として当該ＭＯＳＴネットワーク１へ出力する、またＭＯＳＴ帯域が十分確保できていない場合に拡張要求を行うＭＯＳＴプロトコル変換回路８１とを備える。
このように構成することで、ＭＯＳＴネットワーク１に接続する管理ユニット３で適切に映像・音声データを再生できるように、受信した放送信号のＭＰＥＧ−ＴＳ信号をＭＯＳＴネットワーク１に出力することができる。
【００２８】
実施の形態２．
実施の形態２では、上記実施の形態１の構成に加え、ＴＳ加工部が、ＭＰＥＧ−ＴＳ信号から、映像・音声信号のみの、いわゆる“パーシャルＴＳ”とその他のデータとを分類し、その他のデータを出力制限する。
【００２９】
図４は、この発明の実施の形態２に係るデジタル放送受信機の構成を示すブロック図である。なお、図４において、上記実施の形態１で図１を用いて説明した構成要素には、同一符号を付して説明を省略する。実施の形態２に係るデジタル放送受信機２Ａは、上記実施の形態１と同様にＭＯＳＴネットワーク１上に配置されるデジタル放送受信機であり、チューナ５、チャンネルデコーダ６、ＴＳ加工部７ＡおよびネットワークＩ／Ｆ部８Ａを備える。
【００３０】
ＴＳ加工部７Ａは、チャンネルデコーダ６から入力したＭＰＥＧ−ＴＳ信号における、映像・音声信号のみの“パーシャルＴＳ”と、映像・音声信号以外のその他のデータとを分類し、その他のデータの出力を制限する。なお、ＴＳ加工部７Ａは、ＤｅＭｕｘ・分離処理回路７１ａ、バッファ７２、ＰＣＲ付け替え回路７３、ＰＬＬ回路７４、読み出し制御回路７５、データ信号バッファ７６およびカルーセル判定回路７７を備える。
【００３１】
ＤｅＭｕｘ・分離処理回路７１ａは、チャンネルデコーダ６から入力したＭＰＥＧ−ＴＳ信号を分離（ＤｅＭｕｘ）して、映像・音声信号のみの“パーシャルＴＳ”と、映像・音声信号以外のその他のデータとに分類する回路である。その他のデータには、例えば、ＥＰＧ（電子プログラムガイド）などがある。
また、ＤｅＭｕｘ・分離処理回路７１ａは、上記実施の形態１で示したＤｅＭｕｘ・分離処理回路７１と同様に、ＭＰＥＧ−ＴＳ信号のＴＳパケットがＰＣＲパケットか否かを検出し、ＰＣＲパケットのＰＣＲ値をＰＬＬ回路７４へ出力する。
【００３２】
データ信号バッファ７６は、ＤｅＭｕｘ・分離処理回路７１ａが分類したその他のデータのうち、カルーセル伝送（同じ内容を一定の周期で繰り返し伝送）されるデータを記憶するバッファである。また、データ信号バッファ７６に記憶されたデータは、ＭＯＳＴネットワーク１上の管理ユニット３または他の機器４が要求した場合にのみ読み出され、ネットワークＩ／Ｆ部８Ａを介してＭＯＳＴネットワーク１へ出力される。
カルーセル判定回路７７は、ＤｅＭｕｘ・分離処理回路７１ａにより分類されたその他のデータの中から、カルーセル伝送されるデータを判定する回路である。
【００３３】
ネットワークＩ／Ｆ部８Ａは、ＭＯＳＴプロトコル変換回路８１ａ、検知回路８２およびＭＯＳＴコマンド解析回路８３を備える。ＭＯＳＴプロトコル変換回路８１ａは、上記実施の形態１と同様に、ＴＳ加工部７Ａによって生成された“加工済みＴＳ信号”をＭＯＳＴプロトコルへ変換してＭＯＳＴネットワーク１へ出力する。また、ＭＯＳＴプロトコル変換回路８１ａは、データ信号バッファ７６から読み出されたデータをＭＯＳＴプロトコルへ変換してＭＯＳＴネットワーク１へ出力するとともに、ＭＯＳＴネットワーク１から受信したデータをＭＯＳＴコマンド解析回路８３へ出力する。ＭＯＳＴコマンド解析回路８３は、ＭＯＳＴプロトコル変換回路８１ａを介して入力したデータからコマンドを抽出し、コマンドの内容を解析する回路である。
【００３４】
次に動作について説明する。
図５は、実施の形態２に係るデジタル放送受信機の動作を示すフローチャートであり、この図に沿ってＴＳ加工部７ＡがＭＰＥＧ−ＴＳ信号を入力してからネットワークＩ／Ｆ部８Ａへ出力するまでの処理の詳細について述べる。
まず、ＤｅＭｕｘ・分離処理回路７１ａは、チャンネルデコーダ６から入力したＭＰＥＧ−ＴＳ信号を分離する（ステップＳＴ１ａ）。次に、ＤｅＭｕｘ・分離処理回路７１ａは、パケット識別子に基づいてＭＰＥＧ−ＴＳ信号のＴＳパケットが映像・音声パケットか否かを判定する（ステップＳＴ２ａ）。
【００３５】
ＴＳパケットが映像・音声パケットでない場合（ステップＳＴ２ａ；ＮＯ）、ＤｅＭｕｘ・分離処理回路７１ａは、当該ＴＳパケットをカルーセル判定回路７７へ出力する。
カルーセル判定回路７７は、ＤｅＭｕｘ・分離処理回路７１ａを介して入力したＴＳパケットのパケット識別子に基づいて、ＴＳパケットがカルーセル伝送されているデータであるか否かを判定する（ステップＳＴ３ａ）。ＴＳパケットがカルーセル伝送されているデータの場合（ステップＳＴ３ａ；ＹＥＳ）、カルーセル判定回路７７は、当該ＴＳパケットで伝送されるデータの種別ごとにデータ信号バッファ７６に記憶する（ステップＳＴ４ａ）。
【００３６】
また、ＭＯＳＴコマンド解析回路８３は、ＭＯＳＴプロトコル変換回路８１ａを介してＭＯＳＴネットワーク１から入力したデータに含まれるコマンドを抽出して、コマンドの内容を解析している。ここで、コマンドが管理ユニット３または他の機器４からのデータ要求である場合、ＭＯＳＴコマンド解析回路８３は、データ信号バッファ７６に記憶されているデータの中から、管理ユニット３または他の機器４が要求したデータ種別のデータがあるか否かを判定する（ステップＳＴ５ａ）。
【００３７】
管理ユニット３または他の機器４が要求したデータ種別のデータがある場合（ステップＳＴ５ａ；ＹＥＳ）、ＭＯＳＴコマンド解析回路８３は、当該データ種別のデータを読み出してＭＯＳＴプロトコル変換回路８１ａへ出力するようデータ信号バッファ７６に指示する。データ信号バッファ７６は、ＭＯＳＴコマンド解析回路８３の指示に従い、管理ユニット３または他の機器４が要求したデータ種別のデータを、ＭＯＳＴプロトコル変換回路８１ａへ出力する。
【００３８】
ステップＳＴ６ａにおいて、ＭＯＳＴプロトコル変換回路８１ａは、データ信号バッファ７６から入力したデータをＭＯＳＴプロトコルへ変換してＭＯＳＴネットワーク１へ出力する。
また、ＴＳパケットが映像・音声パケットである場合（ステップＳＴ２ａ；ＹＥＳ）、ＤｅＭｕｘ・分離処理回路７１ａは、ＴＳパケットがＰＣＲパケットか否かを判定する。この後、図３のステップＳＴ３からステップＳＴ８までの処理を実行し、映像・音声パケットのデータをＭＯＳＴプロトコルへ変換してＭＯＳＴネットワーク１へ出力する。
【００３９】
以上のように、この実施の形態２によれば、チャンネルデコーダ６によりＩＦ信号から変換されたＭＰＥＧ−ＴＳ信号から、映像および音声データに関するパケットと、その他のデータのパケットとを分離するＤｅＭｕｘ・分離処理回路７１ａと、ＤｅＭｕｘ・分離処理回路７１ａに分離されたその他のデータの中から、カルーセル伝送されているデータを判定するカルーセル判定回路７７と、カルーセル判定回路７７によりカルーセル伝送されていると判定されたデータのパケットをそのデータ種別に対応付けて記憶するデータ信号バッファ７６と、ＭＯＳＴネットワーク１を介して受信したコマンドの内容を解析し、コマンドの内容がＭＯＳＴネットワークに接続された機器からのデータ種別を指定したデータ送信要求である場合に、当該データ送信要求に応じたデータのパケットをデータ信号バッファ７６から読み出してＭＯＳＴプロトコル変換回路８１ａへ出力させるＭＯＳＴコマンド解析回路８３とを備え、ＭＯＳＴプロトコル変換回路８１ａは、ＭＯＳＴコマンド解析回路８３によりデータ信号バッファ７６から読み出されたパケットを入力し、ＭＯＳＴネットワーク１のプロトコルに変換したＭＰＥＧ−ＴＳ信号として当該ＭＯＳＴネットワーク１へ出力する。このように、同期伝送が必要な映像・音声データとその他のデータとを分類し、その他のデータのうちカルーセル伝送されているデータを、ネットワーク側から要求があった場合にのみＭＯＳＴネットワーク１に出力するので、同期伝送の必要がないデータの伝送レートを抑制することができる。
【００４０】
実施の形態３．
実施の形態３では、チューナおよびチューナデコーダからなる複数の放送受信系統を搭載するデジタル放送受信機において、上記複数の放送受信系統からそれぞれ入力されたＭＰＥＧ−ＴＳ信号で共通な情報を一元化してＭＰＥＧ−ＴＳ信号に再び多重する、いわゆる“再多重化する態様について述べる。
【００４１】
図６は、この発明の実施の形態３に係るデジタル放送受信機の構成を示すブロック図であり、２つの放送受信系統を搭載する場合について示している。図６において、上記実施の形態１で図１を用いて説明した構成要素には、同一符号を付して説明を省略する。実施の形態３に係るデジタル放送受信機２Ｂは、上記実施の形態１と同様にＭＯＳＴネットワーク１上に配置されるデジタル放送受信機であり、チューナ５およびチャンネルデコーダ６からなる放送受信系統、チューナ５ａおよびチャンネルデコーダ６ａからなる放送受信系統、ＴＳ加工部７ＢおよびネットワークＩ／Ｆ部８を備える。なお、チューナ５ａは、チューナ５と同様のチューナであり、アンテナを介して受信したＲＦ信号をＩＦ信号に変換する。また、チャンネルデコーダ６ａも、チャンネルデコーダ６と同様のデコーダであり、チューナ５ａが変換したＩＦ信号を復調してＭＰＥＧ−ＴＳ信号へ変換する。
【００４２】
ＴＳ加工部７Ｂは、チャンネルデコーダ６とチャンネルデコーダ６ａの２系統から入力されたＭＰＥＧ−ＴＳ信号の伝送レートをＭＯＳＴネットワーク１の最大伝送レートに応じた値に変換し、ＰＣＲ値の付け替えを行った、いわゆる“加工済みＴＳ信号”を生成して出力する。また、ＴＳ加工部７Ｂは、その構成としてＤｅＭｕｘ・分離処理回路７１ｂ、バッファ７２、ＰＣＲ付け替え・ＴＳ再多重回路７８、ＰＬＬ回路７４および読み出し制御回路７５を備える。ＤｅＭｕｘ・分離処理回路７１ｂは、チャンネルデコーダ６およびチャンネルデコーダ６ａからそれぞれ入力したＭＰＥＧ−ＴＳ信号を分離（ＤｅＭｕｘ）し、ＭＰＥＧ−ＴＳ信号がＰＣＲパケットか否かを検出する回路である。
【００４３】
ＰＣＲ付け替え・ＴＳ再多重回路７８は、チャンネルデコーダ６とチャンネルデコーダ６ａの２系統から入力されたＭＰＥＧ−ＴＳ信号で同一のテーブル情報を一元化処理し、
これらのＭＰＥＧ−ＴＳ信号を、再び１つのＭＰＥＧ−ＴＳ信号に再編成したＴＳ信号である再多重化ＴＳを生成する。また、ＰＣＲ付け替え・ＴＳ再多重回路７８は、ＰＣＲ付け替え回路７３と同様に、バッファ７２から読み出された出力パケットがＰＣＲパケットの場合、ＰＬＬ回路７４から読み出したクロックの値でＰＣＲを生成して当該ＰＣＲパケットに上書き（ＰＣＲ値の付け替え）してネットワークＩ／Ｆ部８へ出力し、ＰＣＲパケット以外である場合は、そのままネットワークＩ／Ｆ部８へ出力する。
【００４４】
なお、ＭＰＥＧ−ＴＳ信号には、これに含まれるプログラムとそのプログラムを構成している映像や音声ストリームなどのプログラムの要素との関係を表すテーブル情報が規定されている。このテーブル情報はＰＳＩ（Program Specific Information）と呼ばれる。ＰＣＲ付け替え・ＴＳ再多重回路７８は、２つの放送受信系統からそれぞれ入力されたＭＰＥＧ−ＴＳ信号に含まれるテーブル情報（ＰＳＩ）を参照して、同一のテーブル情報を一元化処理し、これらのテーブル情報が規定されたＭＰＥＧ−ＴＳ信号同士を１つのＭＰＥＧ−ＴＳ信号へ再編成する。
【００４５】
次に動作について説明する。
図７は、実施の形態３に係るデジタル放送受信機の動作を示すフローチャートであり、この図に沿ってＴＳ加工部７Ｂが２系統のＭＰＥＧ−ＴＳ信号を入力してからネットワークＩ／Ｆ部８へ出力するまでの処理の詳細について述べる。
まず、ＤｅＭｕｘ・分離処理回路７１ｂは、チャンネルデコーダ６およびチャンネルデコーダ６ａからそれぞれ入力したＭＰＥＧ−ＴＳ信号を分離する（ステップＳＴ１ｂ）。次に、ＤｅＭｕｘ・分離処理回路７１ｂは、これらのＭＰＥＧ−ＴＳ信号のＴＳパケットがＰＣＲパケットか否かを判定する（ステップＳＴ２ｂ）。
【００４６】
ＴＳパケットがＰＣＲパケットである場合（ステップＳＴ２ｂ；ＹＥＳ）、ＤｅＭｕｘ・分離処理回路７１ｂは、ＰＣＲパケットのＰＣＲ値をＰＬＬ回路７４へ出力する。ＰＬＬ回路７４は、ＤｅＭｕｘ・分離処理回路７１ｂから入力したＰＣＲ値を使用してＰＬＬを行い、２７ＭＨｚのシステムクロック（ＭＰＥＧ−ＴＳ信号の再生に必要な基準クロック）を再生する（ステップＳＴ３ｂ）。
【００４７】
ＴＳパケットがＰＣＲパケットでない場合（ステップＳＴ２ｂ；ＮＯ）、ＤｅＭｕｘ・分離処理回路７１ｂは、２系統のＭＰＥＧ−ＴＳ信号からそのＴＳ伝送レートをそれぞれ検出して、これらＭＰＥＧ−ＴＳ信号をバッファ７２に一時記憶する。ＤｅＭｕｘ・分離処理回路７１ｂによって検出されたＴＳ信号の伝送レートは、読み出し制御回路７５へ出力される。
【００４８】
また、ネットワークＩ／Ｆ部８の検知回路８２は、ＭＯＳＴプロトコル変換回路８１を介してどのタイムスロット（時刻）が使用されているかを把握してＭＯＳＴネットワーク１のスロット割当状況を特定して読み出し制御回路７５へ出力する。
なお、検知回路８２は、例えば、ＭＯＳＴネットワーク１のスロット割当状況から、ＭＰＥＧ−ＴＳ信号が出力可能な十分な伝送帯域を持っているか判別する。
【００４９】
次に、読み出し制御回路７５は、ＭＰＥＧ−ＴＳ信号が入力済みか否かを判別し（ステップＳＴ４ｂ）、続いて検知回路８２から入力したスロット割当状況信号に基づいて、ＭＯＳＴネットワーク１のスロット割当状況を確認する（ステップＳＴ５ｂ）。
ここで、他の機器４によってＭＯＳＴスロットが使用され、現在は、ＭＯＳＴネットワーク１に十分な伝送帯域が無いと判別した場合、読み出し制御回路７５は、ＴＳパケットの出力待機状態であると判定し（ステップＳＴ５ｂ；ＮＯ）、バッファ７２からＴＳパケットを読み出させない。また、ＭＯＳＴプロトコル変換回路８１は、割当スロット数を拡張する要求を管理ユニット３に行い（ステップＳＴ１０ｂ）、ＭＰＥＧ−ＴＳ信号をバッファ７２に一時退避させる（ステップＳＴ１１ｂ）。
【００５０】
一方、現在がＭＯＳＴネットワーク１に十分な伝送帯域があると判別した場合（上記要求に応じて管理ユニット３にスロットが割り当てられた場合など）、読み出し制御回路７５は、ＴＳパケットの出力待機状態でないと判定する（ステップＳＴ５ｂ；ＹＥＳ）。
【００５１】
ＭＰＥＧ−ＴＳ信号のＴＳ伝送レートがＭＯＳＴネットワーク平均“空き”レートより小さい場合、読み出し制御回路７５が、検知回路８２に検知されたＭＰＥＧ−ＴＳ信号に割り当てられている最大伝送レートを取得し、バッファ７２を制御して、ＭＯＳＴネットワーク平均“空き”レート以下で、かつ当該ＭＰＥＧ−ＴＳ信号に割り当てられている最大伝送レートを、出力伝送レートに設定し、この出力伝送レートでＴＳパケットを読み出させてＰＣＲ付け替え・ＴＳ再多重回路７８へ出力させる。
また、ＭＰＥＧ−ＴＳ信号の伝送レートが、ＭＯＳＴネットワーク平均“空き”レート以上である場合、ＭＯＳＴプロトコル変換回路８１にて行われたスロット割当拡張要求が許可された後で、読み出し制御回路７５は、バッファ７２を制御して、ＴＳパケットを読み出させてＰＣＲ付け替え・ＴＳ再多重回路７８へ出力させる。
【００５２】
ＰＣＲ付け替え・ＴＳ再多重回路７８は、上述のようにバッファ７２から読み出されたＴＳパケットがＰＣＲパケットであるか否かを判定する（ステップＳＴ６ｂ）。
出力するＭＰＥＧ−ＴＳ信号（ＴＳパケット）がＰＣＲパケットの場合（ステップＳＴ６ｂ；ＹＥＳ）、ＰＣＲ付け替え・ＴＳ再多重回路７８は、ＰＬＬ回路７４からシステムクロックの再生で使用されたＰＣＲ値を当該ＰＣＲパケットに上書き（ＰＣＲ値の付け替え）する（ステップＳＴ９ｂ）。
【００５３】
出力するＭＰＥＧ−ＴＳ信号（ＴＳパケット）がＰＣＲパケットでない場合（ステップＳＴ６ｂ；ＮＯ）、あるいは、ステップＳＴ８ｂにおいてＰＬＬ回路７４で再生されたＰＣＲ値をＰＣＲパケットに上書きした場合に、ＰＣＲ付け替え・ＴＳ再多重回路７８は、２つの放送受信系統からそれぞれ入力されたＭＰＥＧ−ＴＳ信号に含まれるテーブル情報の内容が同一であると、これらのＭＰＥＧ−ＴＳ信号のテーブル情報を１つのテーブル情報に一元化してＭＰＥＧ−ＴＳ信号同士を１つのＭＰＥＧ−ＴＳ信号へ再編成（ＴＳ再多重）する（ステップＳＴ７ｂ）。
ＰＣＲ付け替え・ＴＳ再多重回路７８は、ＴＳ再多重したＭＰＥＧ−ＴＳ信号をネットワークＩ／Ｆ部８へ出力する（ステップＳＴ８ｂ）。また、テーブル情報の内容が同一でなければ、ＭＰＥＧ−ＴＳ信号をそのままネットワークＩ／Ｆ部８へ出力する。
【００５４】
次に、ＭＯＳＴプロトコル変換回路８１は、ＰＣＲ付け替え・ＴＳ再多重回路７８から入力したＴＳ信号をＭＯＳＴプロトコルに変換し、ＭＯＳＴネットワーク１へ出力する。なお、このＴＳ信号は、ＰＣＲ値が付け替えられてバッファ７２に一時記憶されて遅延した分の時間が時間合わせされているため、遅延時間分の非同期伝送が可能である。
【００５５】
以上のように、この実施の形態３によれば、放送受信系統を複数備え、複数の放送受信系統からそれぞれ入力したＭＰＥＧ−ＴＳ信号のうち、共通の情報（ＰＳＩなどのテーブル情報）を有するＭＰＥＧ−ＴＳ信号について、当該共通の情報を１つに一元化して共通の情報を有するＭＰＥＧ−ＴＳ信号を１つのストリームに再編成するＰＣＲ付け替え・ＴＳ再多重回路７８を備える。このように構成することで、複数の放送受信系統からそれぞれ入力されたＭＰＥＧ−ＴＳ信号が、共通な情報を一元化してＭＰＥＧ−ＴＳ信号に再び多重されることから、複数の番組再生に必要な伝送レートを低減することができる。
【００５６】
なお、本発明はその発明の範囲内において、各実施の形態の自由な組み合わせ、あるいは各実施の形態の任意の構成要素の変形、もしくは各実施の形態において任意の構成要素の省略が可能である。
【産業上の利用可能性】
【００５７】
この発明に係るデジタル放送受信機は、リングネットワークに接続する再生機器で適切に映像・音声データを再生できるように、受信した放送信号の映像・音声データをデジタルデータでネットワークに出力することができるので、ＭＯＳＴなどの車内ネットワークに接続される車載用のデジタル放送受信機に好適である。
【符号の説明】
【００５８】
１  リングネットワーク（ＭＯＳＴネットワーク）、２，２Ａ，２Ｂ  デジタル放送受信機、３  管理ユニット、４  他の機器、５，５ａ  チューナ，６，６ａ  チャンネルデコーダ、７，７Ａ，７Ｂ  ＴＳ加工部、８，８Ａ  ネットワークＩ／Ｆ部、７１，７１ａ，７１ｂ  ＤｅＭｕｘ・分離処理回路、７２  バッファ、７３  ＰＣＲ付け替え回路、７４  ＰＬＬ回路、７５  読み出し制御回路、７６  データ信号バッファ、７７  カルーセル判定回路、７８  ＰＣＲ付け替え・ＴＳ再多重回路、８１，８１ａ  ＭＯＳＴプロトコル変換回路、８２  検知回路、８３  ＭＯＳＴコマンド解析回路。
【図１】
0005430806.tif 000002
【図２】
0005430806.tif 000003
【図３】
0005430806.tif 000004
【図４】
0005430806.tif 000005
【図５】
0005430806.tif 000006
【図６】
0005430806.tif 000007
【図７】
0005430806.tif 000008